【手続補正書】
【提出日】平成16年6月7日(2004.6.7)
【手続補正１】
【補正対象書類名】明細書
【補正対象項目名】特許請求の範囲
【補正方法】変更
【補正の内容】
【特許請求の範囲】
【請求項１】
電子メールを受信する通信手段と、入力された画像と前記電子メールに含まれた文字とをビットマップデータ化して組み合わせる組合せ手段と、組合された前記画像と前記文字とを印刷媒体に印刷する印刷手段と、を備えることを特徴とする印刷装置。
【請求項２】
請求項１において、
前記組合せ手段は、前記ビットマップデータ化された画像の表示領域内の所定領域を前記文字のビットマップデータに置換することを特徴とする印刷装置。
【請求項３】
請求項１または２において、
更に、前記印刷媒体における前記画像の位置または前記画像のサイズを変更する画像操作手段を備えることを特徴とする印刷装置。
【請求項４】
請求項１乃至３のいずれかにおいて、
前記電子メールは所定フォーマットで構成され、前記所定フォーマットの件名フィールドには、前記文字が印刷される配置を指示するコード化された指示情報が含まれることを特徴とする印刷装置。
【請求項５】
請求項１乃至３のいずれかにおいて、
前記電子メールは所定フォーマットで構成され、前記所定フォーマットの本文フィールドには、印刷される文字の改行情報と、各々の行における文字の装飾コードと、が含まれることを特徴とする印刷装置。
【請求項６】
請求項５において、
前記装飾コードは、前記文字の大きさと色に関するコードであることを特徴とする印刷装置。
【請求項７】
電子メールを受信する通信手段と、入力された画像と前記電子メールに含まれた文字とをビットマップデータ化して組み合わせる組合せ手段と、組合された前記画像と前記文字とを印刷媒体に印刷する印刷手段と、を備える印刷装置と、
前記電子メールを作成し送信する移動体端末と、
から構成されることを特徴とする印刷システム。
【請求項８】
請求項７において、
前記組合せ手段は、前記印刷媒体における前記画像の位置または前記画像のサイズを変更する画像操作手段を備えることを特徴とする印刷システム。
【請求項９】
請求項８において、
前記電子メールは所定フォーマットで構成され、前記所定フォーマットの件名フィールドには、前記文字が印刷される配置を指示するコード化された指示情報が含まれることを特徴とする印刷システム。
【請求項１０】
請求項８において、
前記電子メールは所定フォーマットで構成され、前記所定フォーマットの本文フィールドには、印刷される文字の改行情報と、各々の行における文字の装飾コードと、が含まれることを特徴とする印刷システム。
【請求項１１】
請求項１０において、
前記装飾コードは、前記文字の大きさと色に関するコードであることを特徴とする印刷システム。
【手続補正２】
【補正対象書類名】明細書
【補正対象項目名】０００８
【補正方法】変更
【補正の内容】
【０００８】
【課題を解決するための手段】
本発明の一態様に係る印刷装置によれば、電子メールを受信する通信手段と、入力された画像と前記電子メールに含まれた文字とをビットマップデータ化して組み合わせる組合せ手段と、組合された前記画像と前記文字とを印刷媒体に印刷する印刷手段と、を備えることを特徴とする。
【手続補正３】
【補正対象書類名】明細書
【補正対象項目名】０００９
【補正方法】変更
【補正の内容】
【０００９】
本発明の一態様に係る印刷システムによれば、電子メールを受信する通信手段と、入力された画像と前記電子メールに含まれた文字とをビットマップデータ化して組み合わせる組合せ手段と、組合された前記画像と前記文字とを印刷媒体に印刷する印刷手段と、を備える印刷装置と、前記電子メールを作成し送信する移動体端末と、から構成されることを特徴とする。
【手続補正４】
【補正対象書類名】明細書
【補正対象項目名】００１０
【補正方法】変更
【補正の内容】
【００１０】
これにより、身近な通信端末、特に個人が身につけている携帯電話機より、電話機の文書作成機能と表示機能を利用して簡単に画像に追加したい文字情報を作成できる。そして、ごく一般的な通信機能である電子メールによって固有のＩＰアドレスを有する印刷装置に上記情報を送信し、印刷装置は上記受信文字情報を画像情報に組み合わせて印刷を行うことができる。
【手続補正５】
【補正対象書類名】明細書
【補正対象項目名】００１２
【補正方法】変更
【補正の内容】
【００１２】
また、本発明の一態様に係る印刷装置によれば、前記組合せ手段は、前記ビットマップデータ化された画像の表示領域内の所定領域を前記文字のビットマップデータに置換することを特徴とする。従って、画像の大きさは変化させずに文字を重ねることができる。文字のフォントは縁取りの有るフォントとしておけば画像の背景色によらず明確に文字を印刷できる。
【手続補正６】
【補正対象書類名】明細書
【補正対象項目名】００１３
【補正方法】変更
【補正の内容】
【００１３】
また、本発明の一態様に係る印刷装置によれば、更に、前記印刷媒体における前記画像の位置または前記画像のサイズを変更する画像操作手段を備えることを特徴とする。従って、人物等の画像の重要部に文字情報が配置され隠されてしまうことなどを避けることができる。
【手続補正７】
【補正対象書類名】明細書
【補正対象項目名】００１４
【補正方法】変更
【補正の内容】
【００１４】
また、縮小処理したビットマップデータを更に移動して、より広く確保された空白スペースに、より多くの文字情報を配置して印刷を行うことができる。
【手続補正８】
【補正対象書類名】明細書
【補正対象項目名】００１５
【補正方法】変更
【補正の内容】
【００１５】
従って、印刷装置に付属する表示パネルでの確認により、適切な画像と文字の配置方法を印刷の開始前に選択できる。よって、レイアウトが当初の意図に反し、レイアウトの配置を変える場合にも使用者が文字情報の再送信を行う必要はない。
【手続補正９】
【補正対象書類名】明細書
【補正対象項目名】００１６
【補正方法】変更
【補正の内容】
【００１６】
また、本発明の一態様に係る印刷装置によれば、前記電子メールは所定フォーマットで構成され、前記所定フォーマットの件名フィールドには、前記文字が印刷される配置を指示するコード化された指示情報が含まれることを特徴とする。指示情報としては、文字情報を配置する位置情報であることが好ましいが、それだけに限定されるものではない。上記のメールフォーマット構成によって、特別な情報を分離する表現手段を用いずに基本的なレイアウト指示のモードを設定できるとともに、印刷装置側もその電子メールに基づく処理を迅速、容易に開始できる。
【手続補正１０】
【補正対象書類名】明細書
【補正対象項目名】００１７
【補正方法】変更
【補正の内容】
【００１７】
また、本発明の一態様に係る印刷装置によれば、前記電子メールは所定フォーマットで構成され、前記所定フォーマットの本文フィールドには、印刷される文字の改行情報と、各々の行における文字の装飾コードと、が含まれることを特徴とする。これにより、電子メールにて文字情報を作成する場合に、電子メールの本文欄に文字列の区切りレイアウトと文字の修飾コードを記載し、印刷装置の上への文字列段落が文字修飾を含めて設定できるようにしたものである。従って、文字列を作成する携帯電話機側の一行表示文字数が幾つであっても構わない。そして、その文字列に対する修飾コードを一括で設定できる。
【手続補正１１】
【補正対象書類名】明細書
【補正対象項目名】００１８
【補正方法】変更
【補正の内容】
【００１８】
また、本発明の一態様に係る印刷装置によれば、前記装飾コードは、前記文字の大きさと色に関するコードであることを特徴とする。文字修飾コードとしては、サイズや色であることが望ましいが、それだけに限定されるものではない。
【手続補正１２】
【補正対象書類名】明細書
【補正対象項目名】００３５
【補正方法】変更
【補正の内容】
【００３５】
図５は本発明の実施例による他の印刷例で、図４の縮小画像３４Ｂを更に３４Ｄの如く上部に移動させるようビットマップのデータをシフトさせ、移動方向と反対側により広い文字領域を確保することによって、その領域３４Ｃにはより多くの文字を記載できる。また、デザイン上の面からも図４とは異なるレイアウトの追加選択ができることにもなる。
【手続補正１３】
【補正対象書類名】明細書
【補正対象項目名】００４０
【補正方法】変更
【補正の内容】
【００４０】
図７は本発明の実施例による件名フィールドへの指令対応図である。ＭＯＤＥ１は文字情報を画像情報の下部に挿入するコマンド、ＭＯＤＥ２は画像情報の略中央部に挿入するコマンド、ＭＯＤＥ３は画像情報の上部に挿入するコマンドを示している。挿入文字位置は文字情報の送信時に指示し、画像とのレイアウトは印刷装置における画像情報の処理操作で最適化を行うという本発明の構成は複雑化しかねない設定方法をシンプルにし、入力側と印刷装置側とで分担する設定機能を使用者にわかり易くさせている。
【手続補正１４】
【補正対象書類名】図面
【補正対象項目名】図２
【補正方法】変更
【補正の内容】
【図２】
2003326795.tif 000001